(57)【要約】【課題】フラップ部を畳んだ状態で嵩張らず、縦置きの場合に携帯情報端末のボタン操作を確実に行うことができ、縦置きと横置きの切替時に手間がかからず、さらにフラップ部を指の間に挟んで装置を手に持って利用できる携帯情報端末スタンドを提供する。【解決手段】携帯情報端末に装着される本体部と、装着時に携帯情報端末の背面ほぼ中央の本体部にヒンジ結合されるフラップ部とを具え、フラップ部は、携帯情報端末の横幅の半分より長い幅を有する。本体部はフラップ部の全体を収容しうる切り欠き部を有し、フラップ部は閉じた状態で前記本体部とほぼ同一面内に収容される。【選択図】図６
2012019981.tif 000002
【特許請求の範囲】
【請求項１】
携帯情報端末に装着される本体部と、装着時に前記携帯情報端末の背面ほぼ中央の前記本体部にヒンジ結合されるフラップ部とを具え、前記フラップ部は、前記携帯情報端末の横幅の半分より長い幅を有することを特徴とする携帯情報端末用スタンド。
【請求項２】
請求項１に記載の携帯情報端末用スタンドにおいて、前記本体部は前記フラップ部の全体を収容しうる切り欠き部を有し、前記フラップ部は閉じた状態で前記本体部とほぼ同一面内に収容されることを特徴とする携帯情報端末用スタンド。
【請求項３】
請求項１または２に記載の携帯情報端末用スタンドにおいて、前記フラップ部は、前記携帯情報端末に装着して横置きにしたときに前記本体部が設置面と４５°乃至８９°の角度をなすような高さを有することを特徴とする携帯情報端末用スタンド。
【請求項４】
請求項１乃至３のいずれかに記載の携帯情報端末用スタンドにおいて、前記フラップ部の高さが１０ｍｍ乃至２０ｍｍであることを特徴とする携帯情報端末用スタンド。
【請求項５】
請求項１乃至４のいずれかに記載の携帯情報端末用スタンドにおいて、前記フラップ部は、前記本体部から９０°乃至１００°の角度まで立ち上がることを特徴とする携帯情報端末用スタンド。
【請求項６】
請求項１乃至５のいずれかに記載の携帯情報端末用スタンドにおいて、前記フラップ部は、装着時に前記携帯情報端末の背面中央より若干上側に、上向きに開くようにヒンジ結合されることを特徴とする携帯情報端末用スタンド。
【発明の詳細な説明】
【技術分野】
【０００１】
本発明は、携帯情報端末用スタンドに関し、特に、用途毎に縦置きスタンド、横置きスタンド、あるいは持ち手として利用可能なフラップ式の携帯情報端末用スタンドに関する。
【背景技術】
【０００２】
近年、各種スマートフォン等の携帯情報端末が発売されている。ユーザはこれらの端末を用いて多様なアプリケーションの操作、電子メールの送受信、ブラウジング、テレビ視聴、またはビデオ鑑賞などを行うことができる。このような携帯情報端末は、表示画面とキーボードとを具える。近年の携帯情報端末は表示画面がタッチパネル式であり、キーボードは必要に応じて表示画面上に現れるものがある。例えばテレビ視聴やビデオ鑑賞に携帯情報端末を用いる際に、携帯情報端末が斜めに自立するようにすればユーザが卓上に設置して手ぶらで視聴できるというメリットがあった。
【０００３】
携帯情報端末用スタンドの従来例として、例えば特許文献１のような装置が提案されている。特許文献１に開示された装置は、携帯情報端末を脱着可能に保持するホルダと、該ホルダに軸着した回動ベースと、回動ベース上の取付クリップと、クリップの外側に配置された立て掛けスタンド用折りたたみ脚部とを具える。取付クリップは、ベルト等へ引っかけて携帯情報端末を持ち運ぶために用いられる。携帯情報端末を自立させるときは、回転ベースを回転させ表示画面の縦位置横位置に合わせて折りたたみ脚部を開き、装置を机上などに角度を設けて設置する。
【先行技術文献】
【特許文献】
【０００４】
【特許文献１】実用新案登録第３１４９１９７号公報
【発明の概要】
【発明が解決しようとする課題】
【０００５】
解決しようとする問題点の一つは、特許文献１の携帯情報端末用スタンドは、回動ベースの上に設けられて縦置き横置きに伴って回転するため機構が複雑となり、装置が全体として大型化してしまうことである。このことは、ユーザにとっての携帯性が悪化するとともに、装置の製造コストを増大させる原因となる。また、この問題に関連して、特許文献１の装置は背面が嵩張り、カバンの中に入れた場合に他の物に引っかかったり、スタンドを使用せずに机上に平置きする場合に不格好となるという問題がある。
【０００６】
また、特許文献１のスタンドは幅が狭く脚が長いため、縦置きに自立させたときに接地面から鈍角で、操作面が急勾配となる。そのため、自立させた状態で特に携帯情報端末の縁寄りのキーを押そうとすると力を受け止めきれず、携帯情報端末が回転してキーがうまく押せないという問題がある。さらに、ブラウジングやビデオ閲覧といった目的においては使用時に縦置きと横置きを何度か切り替える必要があるが、特許文献１の装置では縦置きと横置きを切り替えるために裏のスタンドを回転させなければならず、その都度手間がかかるという問題がある。さらに、携帯情報端末を手で持って閲覧／操作する場合に、携帯情報端末の背面に好適な持ち手部があったら便宜である。
【０００７】
本発明は上記のような問題に鑑みてなされたものであり、畳んだ状態で嵩張らず、縦置きの場合に携帯情報端末のボタン操作を確実に行うことができ、縦置きと横置きの切替時に手間のかかる操作が不要であり、さらにスタンドを指の間に挟んで装置を手に持って利用できる携帯情報端末スタンドを提供することを目的とする。
【課題を解決するための手段】
【０００８】
上記課題を解決するために、本発明にかかる携帯情報端末用スタンドは、携帯情報端末に装着される本体部と、装着時に前記携帯情報端末の背面ほぼ中央の前記本体部にヒンジ結合されるフラップ部とを具え、前記フラップ部は、前記携帯情報端末の横幅の半分より長い幅を有することを特徴とする。
【０００９】
前記本体部は前記フラップ部の全体を収容しうる切り欠き部を有し、前記フラップ部は閉じた状態で前記本体部とほぼ同一面内に収容されることが望ましい。
【００１０】
前記フラップ部は、前記携帯情報端末に装着して横置きにしたときに前記本体部が設置面と４５°乃至８５°の角度をなすような高さを有することが望ましい。
【００１１】
前記フラップ部の高さが１０ｍｍ乃至２０ｍｍであることが望ましい。
【００１２】
前記フラップ部は、前記本体部から９０°乃至１００°の角度まで立ち上がることが望ましい。
【００１３】
前記フラップ部は、装着時に前記携帯情報端末の背面中央より若干上側に、上向きに開くようにヒンジ結合されることが望ましい。
【発明の効果】
【００１４】
本発明の携帯情報端末用スタンドは、背面ほぼ中央にヒンジ結合されたフラップ部の幅が端末の半分以上あるため、縦置きにしたときに安定して、縁寄りのボタン操作時にも端末が回転せず確実に入力作業を行えるという利点がある。
【００１５】
フラップ部を畳んだときに切り欠き部に収容されるようにすると、本体部の外側面とほぼ同一面をなし、収容時や平置き時、またはフラップ部を折り畳んだままでの端末操作時に邪魔になることがないという利点がある。
【００１６】
フラップ部の高さを、端末に装着して横置きにしたときに本体部が接地面と４５°乃至８５°の角度をなす高さとし、好適には１０ｍｍ乃至２０ｍｍとすると、横置きした際に好適に視聴できるとともに、手で持ったときにフラップ部を指で挟んで携帯情報端末を保持することができ、その際に手の甲側にフラップ部が大きくはみ出ることがないという利点がある。
【００１７】
フラップ部が、本体部から９０°乃至１００°の角度まで立ち上がるよう構成すると、スタンドとして使用する際や、取っ手として指に挟んで使用する際に確実に携帯情報端末を支持することができ、外力が加わった場合にもフラップ部が畳まれてしまうことがないという利点がある。
【００１８】
また、フラップ部を端末背面中央より若干上側に、上向きに開くようヒンジ結合すると、縦置き時、横置き時、取っ手として用いたときのいずれも安定度が増すという利点がある。
【図面の簡単な説明】
【００１９】
【図１】図１は本発明にかかる携帯情報端末用スタンド１０の斜視図であり、図１ａはフラップ部１２が閉じている（畳まれている）状態、図１ｂはフラップ部１２が開いている（立ち上がった）状態を示す。
【図２】図２は、携帯情報端末用スタンド１０を携帯情報端末１に装着した状態を示す斜視図である。
【図３】図３は、携帯情報端末用スタンド１０の背面図である。
【図４】図４は携帯情報端末用スタンド１０の右側面図であり、図４ａはフラップ部１２を閉じた状態、図４ｂはフラップ部１２を開いた状態である。
【図５】図５は携帯情報端末用スタンド１０の底面図であり、図５ａはフラップ部１２を閉じた状態、図５ｂはフラップ部１２を開いた状態である。
【図６】図６は、携帯情報端末用スタンド１０を携帯情報端末１に装着し、フラップ部１２を開いて設置した状態を示し、図６ａは縦置きにした斜視図、図６ｂは横置きにした背面側からの斜視図である。
【図７】図７は、携帯情報端末用スタンド１０のフラップ部１２を指に挟んで携帯情報端末１を手に持った状態を示す背面斜視図である。
【発明を実施するための形態】
【００２０】
本発明を実施するための好適な形態を、添付の図面を参照しながら以下に詳細に説明する。図１は本発明にかかる携帯情報端末用スタンド１０の斜視図であり、図１ａはフラップ部１２が閉じている（畳まれている）状態、図１ｂはフラップ部１２が開いている（立ち上がった）状態を示す。本図に示すように、携帯情報端末用スタンド１０は、本体部１１と、フラップ部１２とを具える。
【００２１】
図２は、この携帯情報端末用スタンド１０を携帯情報端末１に装着した状態を示す斜視図である。携帯情報端末用スタンド１０の本体部１１は、装着される携帯情報端末１の背面全体を覆う形状を有し、その左側上部には端末のカメラを露出するための穴１３が設けられている。以下の実施形態では、図に示す具体的な端末１を用いて本発明を説明するが、本発明はこの特定の端末専用に限定されるものではなく、本体部１１は他の様々な形状の携帯情報端末に装着できるよう様々な形状をとることができ、このように本体部の形状のみが変更されたものは本発明の範囲内であることに留意されたい。
【００２２】
図３は、携帯情報端末用スタンド１０の背面図である。本体部１１のほぼ中央には、フラップ部１２が横方向に延在している。本体部１１とフラップ部１２は、横方向に延びるヒンジ軸１５でヒンジ結合されており、これを軸としてフラップ部１２が上側に約９０°乃至１００°まで開くよう構成されている。本体部１１にはフラップ部１２の形状に対応する切り欠き部１４が設けられており、ここにフラップ部１２の全体が収まるよう構成されている。切り欠き部１４はさらに、少なくとも部分的にフラップ部１２より大きく形成されており、ここにユーザが指を入れてフラップ部１２を立てられるよう構成されている。
【００２３】
図４は携帯情報端末用スタンド１０の右側面図であり、図４ａはフラップ部１２を閉じた状態、図４ｂはフラップ部１２を開いた状態である。図４ａに示すように、フラップ部１２を閉じた状態では、フラップ部１２は本体部１１と実質的に同一面内に収まり、収納時に引っかかったり物を傷つけたりすることがない。図４ｂに示すように、フラップ部１２は本体部１１から上側に９０°乃至１００°、本例では約９５°まで開くことができる。また、図４ｂに示すように、フラップ部１２は携帯情報端末１の背面中央より若干上側の位置に設けられている。このようにすると、外力が加わったときにフラップ部１２が閉じてしまうことがなく、確実に端末を支持できる。
【００２４】
図５は携帯情報端末用スタンド１０の底面図であり、図５ａはフラップ部１２を閉じた状態、図５ｂはフラップ部１２を開いた状態である。図５に示すように、フラップ部１２をヒンジ結合するヒンジ軸１５が若干内側に突出しており、外側面の平坦化を達成している。図５ｂに示すように、フラップ部１２は携帯情報端末１の横幅の約半分の幅を有する。フラップ部１２の角は丸められて、ユーザや他の物を傷つけないようにしている。
【００２５】
図４および図５に示すように、本体部１１の両側部は立ち上がっており、ここに携帯情報端末１が嵌合するよう構成されている。本体部１１の形状および構造は、携帯情報端末１に着脱可能に装着できる限りにおいて、携帯情報端末１の形状等に合わせて適宜設計されるものであり、本発明では何ら限定することを企図しない。同様に、本体部１１やフラップ部１２の厚さや材質も、実施環境に応じて様々なものを適用することができる。一実施例では、本体部１１は金属を樹脂コーティングして構成され、強度と肌触りの両方を獲得している。フラップ部１２は硬質プラスチックを用いて構成してもよい。
【００２６】
図６は、このように構成したスタンド１０を携帯情報端末１に装着し、フラップ部１２を開いて例えば机上に設置した状態を示し、図６ａは縦置きにした斜視図、図６ｂは横置きにした背面側からの斜視図である。図６ａに示すように、縦置き状態では携帯情報端末１が３０°弱の角度で立て掛けられ、ユーザにとって画面の視認性が向上するとともに、携帯情報端末１の画面上のボタンが押された場合にもぐらつくことがない。一方、この状態から携帯情報端末１を横にして立てれば図６ｂに示す横置き状態となり、従来例のように背面の脚部を回転させる必要がなく容易に縦置きと横置きを切り替えることができる。図６ｂの横置き状態では、携帯情報端末１が約５５°の角度で自立しているが、これは約４５°から直立（すなわち９０°）直前の角度までで適宜決定することができる。これによりユーザは動画データなどを好適な角度で視聴することができる。
【００２７】
図７は、スタンド１０のフラップ部１２を開き、当該フラップ部１２を指に挟んで携帯情報端末１を手に持った状態を示す図である。本図に示すように、フラップ部１２は約１０乃至２０ｍｍ、好適には約１５ｍｍの高さと端末１の約半分の幅を有し、指の間に挟むのに好適である。このようにユーザが携帯情報端末１を手に持つことにより、指先に力を入れなくても確実に端末１を手中に保持することができるとともに、携帯情報端末１の操作性が向上する。この場合、フラップ部１２の高さが１０乃至２０ｍｍであるため、挟んだ指の間から不格好に突出することがなく、見た目にもスマートな持ち方となる。
【００２８】
以上、本発明の特定の実施例について詳細に説明したが、上述したように本発明は上記特定の実施例に限定されることなく、他の様々な変形例、変更例として具現化することができる。例えば、上記実施例ではフラップ部１２を閉じたときに本体部１１の同一面内に収まるよう構成しているが、これは必須の構成ではなく、ヒンジ軸１５やフラップ部１２が本体部１１の外側に突出するような構成であってもよい。また、フラップ部１２の詳細な形状や寸法も上記実施例に限られるものではなく、縦置きのときに携帯情報端末１の縁寄りのボタンも確実に押すことができて、横置きにすぐに切り替えられ安定して自立するような構成であれば、例えば三角形、逆Ｕ字型、逆Ｖ字型のような構成とすることも考えられる。また、本体部１１は携帯情報端末１の背面に装着できるものであれば様々な構成とすることができ、端末１の背面全体を覆う必要はない。さらに、本体部１１とフラップ部１２の連結構造は、フラップ部１２が所望の角度まで開いて止まる構造であれば図示するような蝶番構造でなくてもよい。
【符号の説明】
【００２９】
１    携帯情報端末
１０  携帯情報端末用スタンド
１１  本体部
１２  フラップ部
１３  カメラ穴
１４  切り欠き部
１５  ヒンジ軸
【図１】
2012019981.tif 000003
【図２】
2012019981.tif 000004
【図３】
2012019981.tif 000005
【図４】
2012019981.tif 000006
【図５】
2012019981.tif 000007
【図６】
2012019981.tif 000008
【図７】
2012019981.tif 000009